(57)【要約】【課題】農業用ハウスへの鳥害を防止する鳥除け装置を提供する。【解決手段】本考案の鳥除け装置１は、建屋の躯体、窓枠、窓框の何れかに取付けられる。その構成は、複数の土台１０と、複数の土台１０に、それぞれ立設した第１・第２の支柱２０ａ、２０ｂと、第１・第２の支柱２０ａ、２０ｂの間に掛けられているワイヤ３０と、ワイヤ３０の両端部にそれぞれ設けたワイヤ止め具３１と、各ワイヤ止め具３１に設けたスプリング３２と、スプリング３２を係止する第１・第２の支柱２０ａ、２０ｂに設けた各孔２１と、で構成したことを特徴とする。【選択図】図１−１
0003203612.tif 000002
【実用新案登録請求の範囲】
【請求項１】
建屋の躯体、窓枠、窓框の何れかに取付けられる鳥除け装置であって、
複数の土台と、
該複数の土台に、それぞれ立設した第１・第２の支柱と、
前記第１・第２の支柱の間に掛けられているワイヤと、
このワイヤの両端部にそれぞれ設けたワイヤ止め具と、
この各ワイヤ止め具に設けたスプリングと、
このスプリングを係止する前記第１・第２の支柱に設けた各孔と、
で構成したことを特徴とする鳥除け装置。
【請求項２】
建屋の躯体、窓枠、窓框の何れかに取付けられる鳥除け装置であって、
複数の土台と、
該複数の土台に、それぞれ立設した第１・第２の支柱と、
前記第１・第２の支柱の間に掛けられているワイヤと、
このワイヤの両端部にそれぞれ設けたワイヤ止め具と、
この各ワイヤ止め具に設けたスプリングと、
このスプリングを係止する前記第１・第２の支柱に設けた各孔と、
この第１・第２の支柱の間に設け、前記ワイヤの一部を支持する前記土台に立設した第３の支柱と、
で構成したことを特徴とする鳥除け装置。
【請求項３】
前記土台は、底面部と、該底面部より内向きに傾斜して立設した壁面部を備えるビニール係止資材、又はハウスの躯体に設けられている、
構成としたことを特徴とする請求項１又は２に記載の鳥除け装置。
【請求項４】
前記第３の支柱は、
弾性を備えた線材からなり、
前記土台は、底面部と、該底面部より内向きに傾斜して立設した壁面部を備えるビニール係止資材、又はハウスの躯体に設けられ、
該弾性を備えた線材を環状にし、前記ワイヤの一部に当接するワイヤ当接部と、
前記ビニール係止資材の底面部、及び壁面部に当接する底面当接部と、で構成され、
この第３の支柱は、前記ビニール係止資材、又は前記ハウスの躯体に設けられている、
構成としたことを特徴とする請求項２に記載の鳥除け装置。
【請求項５】
前記建屋は、農業用ハウスとする構成としたことを特徴とする請求項１〜請求項４の何れか一項に記載の鳥除け装置。
【請求項６】
農業用ハウス上で、離間して設置された第１・第２の支柱間にワイヤを掛け、
該ワイヤの一部を、弾性を持った第３の支柱で支持し、
この第３の支柱は、前記ワイヤに鉛直方向の力を加えることにより発生する該ワイヤからの力により、変形し弾性力を獲得し、前記鉛直方向の力の力点の位置を不安定にする、
構成としたことを特徴とする鳥除け装置。
【考案の詳細な説明】
【技術分野】
【０００１】
本考案は、農業用ハウス等に設置する鳥除け装置に関する。
【背景技術】
【０００２】
農業においては、従来から、農作物や園芸作物を害鳥、害獣、害虫又は雨風等から保護し、栽培環境の温度や湿度を調整する農業用ハウスが広く用いられている。この農業用ハウスは、特許文献１に記載されている農業用ハウスのように、その骨格が金属製パイプで形成されており、合成樹脂フィルム等のフィルムの透光性を有する被覆材で骨格を覆うことにより造られているものが多い。
【先行技術文献】
【特許文献】
【０００３】
【特許文献１】特開２０１５−１７１３３１号公報
【考案の概要】
【考案が解決しようとする課題】
【０００４】
従来の農業用ハウスの骨格を形成する金属製パイプは、その径が、例えば、１９〜２５ｍｍのものが主流であり、カラス、スズメ、ヒヨドリ、ハト等の害鳥が、止まる可能性がある。農業用ハウスの屋根とか、窓枠等の骨格を形成する金属製パイプに害鳥が止まることで、例えば、被覆材を、口ばし、又は爪で傷つけたり、糞で汚したりする等の被害が発生している。農業用ハウスは、主として、高所作業であること、被覆材が無防備であることで、被害を受けやすいことと、そのメンテナンス費用も高く、かつ手間がかかるため、この種の被害が農家を悩ませている。そのため、最近では、農業用ハウスに鳥が止まらないようにする策（鳥除け装置）が所望されている。
【０００５】
本考案は、このような実情に鑑みてなされたものであり、農業用ハウスへの鳥害を抑制、及び／又は、防止することを目的とした、鳥除け装置を提供する。
【課題を解決するための手段】
【０００６】
上記目的を達成するため、本考案の第１の観点に係る鳥除け装置は、
建屋の躯体、窓枠、窓框の何れかに取付けられる鳥除け装置であって、
複数の土台と、
該複数の土台に、それぞれ立設した第１・第２の支柱と、
前記第１・第２の支柱の間に掛けられているワイヤと、
このワイヤの両端部にそれぞれ設けたワイヤ止め具と、
この各ワイヤ止め具に設けたスプリングと、
このスプリングを係止する前記第１・第２の支柱に設けた各孔と、
で構成したことを特徴とする。
【０００７】
本考案の第２の観点に係る鳥除け装置は、
建屋の躯体、窓枠、窓框の何れかに取付けられる鳥除け装置であって、
複数の土台と、
該複数の土台に、それぞれ立設した第１・第２の支柱と、
前記第１・第２の支柱の間に掛けられているワイヤと、
このワイヤの両端部にそれぞれ設けたワイヤ止め具と、
この各ワイヤ止め具に設けたスプリングと、
このスプリングを係止する前記第１・第２の支柱に設けた各孔と、
この第１・第２の支柱の間に設け、前記ワイヤの一部を支持する前記土台に立設した第３の支柱と、
で構成したことを特徴とする。
【０００８】
前記土台は、底面部と、該底面部より内向きに傾斜して立設した壁面部を備えるビニール係止資材、又はハウスの躯体に設けられている、
構成としてもよい。
【０００９】
前記第３の支柱は、
弾性を備えた線材からなり、
前記土台は、底面部と、該底面部より内向きに傾斜して立設した壁面部を備えるビニール係止資材、又はハウスの躯体に設けられ、
該弾性を備えた線材を環状にし、前記ワイヤの一部に当接するワイヤ当接部と、
前記ビニール係止資材の底面部、及び壁面部に当接する底面当接部と、で構成され、
この第３の支柱は、前記ビニール係止資材、又は前記ハウスの躯体に設けられている、
構成としてもよい。
【００１０】
前記建屋は、農業用ハウスとする構成としてもよい。
【００１１】
本考案の第３の観点に係る鳥除け装置は、
農業用ハウス上で、離間して設置された第１・第２の支柱間にワイヤを掛け、
該ワイヤの一部を、弾性を持った第３の支柱で支持し、
この第３の支柱は、前記ワイヤに鉛直方向の力を加えることにより発生する該ワイヤからの力により、変形し弾性力を獲得し、前記鉛直方向の力の力点の位置を不安定にする、
構成としたことを特徴とする。
【考案の効果】
【００１２】
本考案によれば、農業用ハウス等への鳥害を抑制、及び／又は、防止することができる。
【図面の簡単な説明】
【００１３】
【図１−１】本考案の実施の形態に係る鳥除け装置の外観を縮尺して示した一部省略の図である。
【図１−２】本考案の他の実施の形態に係る鳥除け装置の外観を縮尺して示した一部省略の図である。
【図２】鳥除け装置の土台及び支柱の外観を示す一部省略の図である。
【図３】鳥除け装置の土台が設置される躯体等の例であるビニペットの外観を示す一部省略の図である。
【図４−１】鳥除け装置のワイヤと、スプリングとを一体方式（一体構造）とした一例を示したワイヤとスプリングとの関係を示した斜視図である。
【図４−２】鳥除け装置のワイヤと、スプリングとを組立て式（分離構造）とした一例を示した斜視図である。
【図５】鳥除け装置のワイヤ支持部材の外観を示す一部省略の図である。
【図６】鳥除け装置が配置された角型の農業用ハウスの外観を縮尺して示した図である。
【図７】鳥除け装置が配置された丸型の農業用ハウスの外観を縮尺して示した図である。
【図８】（ａ）ワイヤに鳥が止まっていない時の鳥除け装置の外観を示す図である。（ｂ）ワイヤの一部が弛んでいる時の鳥除け装置の外観を示す図である。
【考案を実施するための形態】
【００１４】
以下、本実施の形態に係る鳥除け装置について、好ましい、一例を、図面を参照して詳細に説明する。
本実施の形態に係る鳥除け装置は、農業用ハウス等に用いられるものであり、害鳥による被害を抑制、及び／又は、防止するためのものである。
図１−１、図１−２に示すように、鳥除け装置１は、少なくとも、２つの土台１０と、この土台１０に、それぞれ立設した第１の支柱２０ａと第２の支柱２０ｂでなる支柱２０と、ワイヤ３０と、を備える。
【００１５】
土台１０は、金属、木材、プラスチック等からなる図２に示すような部材であり、農業用ハウス等の建屋を構成する躯体、窓枠、窓框、ビニールパイプ、金属パイプ等（以下、躯体等という。）に、原則として、直接、取り付けられる。農業用ハウスを構成する躯体としては、例えば、ビニペット（登録商標）、ビニバーα（登録商標）等のビニール係止資材、ビニールパイプ（以下、原則として、ビニペットで説明する）がある。本実施の形態におけるビニペットＦは、アルミニウム等の金属からなる。図３に示すように、ビニペットＦは１枚の矩形状の金属板を略コの字型に折曲したレール形状で、底面部Ｆ１と、底面部Ｆ１より対峙して立設した２枚の壁面部Ｆ２と、でなる。壁面部Ｆ２は、丸みをもって底面部Ｆ１の内方向に湾曲している湾曲部Ｆ２ａと、底面部Ｆ１と平行する屈曲線Ｆ２ｂを境に湾曲部Ｆ２ａから底面部Ｆ１の外方向に折曲されて延出する平面部Ｆ２ｃとを備える。また、平面部Ｆ２ｃの縁は底面部Ｆ１の内方向に折曲され、縁部Ｆ２ｄを形成している。湾曲部Ｆ２ａには、図１に示すように、土台１０と、後述するワイヤ支持部材４０の底面当接部４２とが嵌合される。湾曲部Ｆ２ａと縁部Ｆ２ｄが底面部Ｆ１の内側に屈曲しているため、ビニペットＦ上に鳥除け装置１を設置した場合、土台１０と、ワイヤ支持部材４０の底面当接部４２とがレールから外れにくいという効果がある。
【００１６】
支柱２０（第１の支柱２０ａ、第２の支柱２０ｂ等）には、それぞれ、図２に示すように、上端の中実には、支柱２０の側面を貫通する孔２１（複数のスプリング３２の引掛け部３２ａが貫通する大きさの孔、この例では、三本のスプリング３２の引掛け部３２ａが通るものとする）と、また、下端の外周面には、該支柱２０を土台１０のナットに螺着、かつ固定するための螺旋溝２２と、が設けられている。そして、この支柱２０は、土台１０の中央に設けたナット２３に螺着（嵌合）されることで立設される。また、ナットより螺脱することで、土台１０のみをハウスの躯体等Ｇに残すことができる。よって、鳥除け装置１の取り外しとか、フィルムを張ったままでの交換等、又は修理に有益である。支柱２０は、土台１０上に配置されるナット２３を介して、土台１０と螺着される。尚、支柱２０は、土台１０がボルト１１で躯体等Ｇに固定される。前述の如く、孔２１には、後述するワイヤ３０に設けられるスプリング３２が掛止めされる。
【００１７】
ワイヤ３０は、例えばステンレス鋼からなる複数のワイヤ素材３０ａでなる撚線を形成し、ナイロンコーティングを被覆し、表面に撚線の撚り後の略凹凸形状を消さないようにする。従って、後述する咬持部３１ａでの咬持状態を確保できる。尚、ワイヤ３０の径は、例えば、０．５〜２．０ｍｍ程度である。ワイヤ３０の両端部には、図４に示すように、ワイヤ止め具３１と、スプリング３２とがそれぞれ設けられている。ワイヤ止め具３１は、本体の先端部に、ワイヤ３０を咬持する咬持部３１ａと、本体の後端部に、スプリング３２を掛止め用の孔３１ｂとを備える。対のスプリング３２は、それぞれの一端が、各ワイヤ止め具３１の各孔３１ｂにそれぞれ掛止めされ、また、それぞれの他端が、各支柱２０（第１の支柱２０ａか、第２の支柱２０ｂ）の各孔２１に掛止めされる。また、ワイヤ３０の径が鳥の脚で掴みにくい大きさとすることで、例えば、一番問題である、カラス等の大きな鳥が止まりにくいという効果がある。この種の農業ハウスでは、ビニールを突く、カラス対策が重要であることに鑑み最適である。図４−１の如く、ワイヤ止め具３１と、スプリング３２とは、一体構造とするが、図４−２の如く、分離構造で、組立て式の構造も有り得る。
【００１８】
ワイヤ支持部材４０は、例えば、弾性を有した線材からなる。ワイヤ支持部材４０は、折曲して形成されており、図５に示すように、ワイヤ３０の中央部を支持する支持部４１と、躯体等Ｇと当接する底面当接部４２とを有する。支持部４１には、線材を曲成することにより形成した環状のワイヤ当接部４１ａを備える。ワイヤ当接部４１ａの環にワイヤ３０が通され、支持部４１は、例えば、ワイヤ３０の中央部等とか、複数本で各箇所を支持する。底面当接部４２は、複数の屈曲点４２ａ、４２ｂ、４２ｃ、４２ｄを有する。底面当接部４２は、図５の例では、屈曲点４２ａ、４２ｂ、４２ｃ、４２ｄのそれぞれが、ビニペットＦ上に配置された場合に湾曲部Ｆ２ａに嵌まるように折曲されている。底面当接部４２をビニペットＦの底面部Ｆ１に固定するために金物部材等は用いず、底面当接部４２は、底面当接部４２とビニペットＦの底面部Ｆ１との間に働く摩擦力によって緩やかに固定される。このため、ユーザは底面当接部４２をビニペットＦの湾曲部Ｆ２ａに沿ってスライドさせることで、所望する位置にワイヤ支持部材４０を配置することができる。尚、ワイヤ支持部材４０は、第１の支柱２０ａ、第２の支柱２０ｂ等で代替することもできる。
【００１９】
次に、鳥除け装置１の使用方法を簡単に説明しながら、その動作と効果を説明する。
鳥除け装置１は、例えば、図６の例に示すような角型の農業用ハウスＨ１や、図７の例に示すような丸型の農業用ハウスＨ２に設置される。尚、農業用ハウスＨ１、Ｈ２のビニールの張り方は任意であるが、ビニペットＦ上にビニールを配置し、その上から支柱２０を嵌合した土台１０、ワイヤ支持部材４０を設置し、土台１０と底面当接部４２とによってビニールを抑えるようにして張ることが望ましい。尚、農業用ハウスＨ１等がパイプ構造の躯体等Ｇでは、土台１０を直付けすることも有り得る。
【００２０】
鳥除け装置１を備えた農業用ハウスＨ１、Ｈ２は、カラスやハト等の大型の鳥、及び／又は、スズメやヒヨドリ等の小型の鳥が止まろうとしても、主として、ワイヤ３０が邪魔になり、止まることが難しい。また、大型の鳥が、万が一、ワイヤ３０に足を掛けたとしても、荷重でスプリング３２のだれ、及び／又は、ワイヤ３０の撓みと、ブレが生じ、止まり続けることは難しい。略同様なことが、小型の鳥においても考えられる。
【００２１】
また、図８（ｂ）に示すように、鳥は、場合により、一時的にワイヤ３０に止まるが、そのままワイヤ３０に止まり続けることは難しい。その理由の一つは、ワイヤ３０は、やや撓んだ状態（略緊張状態）であり、鳥が止まり難いことと、太さ（径）の規格とがある。その他として、図１−２と、図８の如く、ワイヤ支持部材４０を備えた例では、一方側のワイヤ３０が垂れて不安定となることと、ワイヤ支持部材４０が倒れる等してワイヤ３０がフラフラする。このフラフラの状態は、鳥は習性で嫌うことで、有益である。また、鳥が止まり続けることを回避できる実益がある。尚、場合により、第１の支柱２０ａと第２の支柱２０ｂに弾性を付与すれば、このフラフラ効果が期待できる。さらにワイヤ支持部材４０との一層の相乗効果が期待できる。
その他として、例えば、ワイヤ支持部材４０を設けた例では、図示しないが、鳥がワイヤ３０に止まり、荷重が掛った際には（その他で荷重が掛った場合を含む）、ワイヤ３０がだれ、ワイヤ３０で引っ張られ、ワイヤ支持部材４０が傾く（鳥が止まった位置から離れる方向に傾く）と、鳥が止まっている位置が変動する。この位置の変動は、鳥がそのままワイヤ３０に止まり続けることが難しくなることと、ワイヤ３０が妄動することで、鳥が嫌うこと等により、高い防鳥効果を発揮する。
【００２２】
尚、本考案は、上記実施の形態に限定されず、本考案の要旨を逸脱しない範囲での種々の変更は可能である。例えば、上述した実施の形態では、鳥除け装置１は、農業用ハウスＨ１、Ｈ２等の躯体等Ｇに固定されると説明したが、鳥除け装置１と農業用ハウスＨ１、Ｈ２等とが一体となって構成されても良い。
また、例えば、実施形態では、鳥除け装置１を構成する第１・第２支柱２０ａ、２０ｂでなる２本であると説明したが、第１・第２支柱２０ａ、２０ｂの他にも複数本あってもよい。この場合、鳥除け装置１は、躯体等Ｇ上に複数本の支柱（図示せず）を備え、任意の複数本の支柱間にワイヤ３０が掛けられることになる。
その他として、例えば、第１の支柱２０ａと第２の支柱２０ｂとの間の距離に応じて、適宜ワイヤ支持部材４０を備えないように構成しても良い。この場合、第１の支柱２０ａと第２の支柱２０ｂとの間の距離は、例えば、３０ｍ程度であることが好ましい。一方で、第１の支柱２０ａと第２の支柱２０ｂとの間の距離が、例えば、６０ｍ程度である場合には、ワイヤ支持部材４０を、一本備えるようにすることが好ましい。即ち、ワイヤ３０を張装する距離、鳥の数とか、地形、又は農業ハウスＨ１の状況、或いは地形等の諸条件を勘案して、第１の支柱２０ａと第２の支柱２０ｂ等の支柱の間隔、その本数、及び／又は、ワイヤ支持部材４０の有無とか本数を、最適な取付け、及び／又は、鳥除けが図れる鳥除け装置１となり得ることと、また、適切な部品点数でなる鳥除け装置１となり得ることが実現できる。
【００２３】
実施形態では、ワイヤ支持部材４０は弾性を有すると説明したが、部品点数の簡略化とか、使用の簡便性等を意図して、剛性のワイヤ支持部材４０であっても良い。
【符号の説明】
【００２４】
１  鳥除け装置
１０  土台
１１  ボルト
２０ａ  第１の支柱（２０  支柱）
２０ｂ  第２の支柱（２０  支柱）
２１  孔
２２  螺旋溝
２３  ナット
３０  ワイヤ
３０ａ  ワイヤ素材
３１  ワイヤ止め具
３１ａ  咬持部
３１ｂ  孔
３２  スプリング
３２ａ  引掛け部
４０  ワイヤ支持部材
４１  支持部
４１ａ  ワイヤ当接部
４２  底面当接部
４２ａ、４２ｂ、４２ｃ、４２ｄ  屈曲点
Ｆ  ビニペット
Ｆ１  底面部
Ｆ２  壁面部
Ｆ２ａ  湾曲部
Ｆ２ｂ  屈曲線
Ｆ２ｃ  平面部
Ｆ２ｄ  縁部
Ｇ  躯体等
Ｈ１  角型の農業用ハウス
Ｈ２  丸型の農業用ハウス
【図１−１】
0003203612.tif 000003
【図１−２】
0003203612.tif 000004
【図２】
0003203612.tif 000005
【図３】
0003203612.tif 000006
【図４−１】
0003203612.tif 000007
【図４−２】
0003203612.tif 000008
【図５】
0003203612.tif 000009
【図６】
0003203612.tif 000010
【図７】
0003203612.tif 000011
【図８】
0003203612.tif 000012